(57)【要約】【課題】戻り管に詰まりが生じても、メイン水槽の水が溢れない水槽設備を提供する。【解決手段】本発明の水槽設備は、基台１と、基台１上に設けられ、かつ水棲生物を観賞するためのメイン水槽２と、基台１上に設けられ、かつ水質を維持するための器具類が配置されたサブ水槽３と、基台１の内部に設けられ、かつメイン水槽２およびサブ水槽３間を連通する往き管路４および戻り管路５と、サブ水槽３内の水を往き管路４を介してメイン水槽２内に供給するとともに、メイン水槽２内の水を戻り管路５を介してサブ水槽３内に戻すための循環ポンプ１５とを備える。往き管路４および戻り管路５間を連通する連通路６１が設けられている。【選択図】図６
2019041709.tif 000002
【特許請求の範囲】
【請求項１】
基台と、
前記基台上に設けられ、かつ水棲生物を観賞するためのメイン水槽と、
前記基台上に設けられ、かつ水質を維持するための器具類が配置されたサブ水槽と、
前記基台の内部に設けられ、かつ前記メイン水槽および前記サブ水槽間を連通する往き管路および戻り管路と、
前記サブ水槽内の水を前記往き管路を介して前記メイン水槽内に供給するとともに、前記メイン水槽内の水を前記戻り管路を介して前記サブ水槽内に戻すための循環ポンプとを備え、
前記往き管路および前記戻り管路間を連通する連通路が設けられていることを特徴とする水槽設備。
【請求項２】
前記連通路は、前記往き管路および前記戻り管路における前記サブ水槽寄りの位置に配置されている請求項１に記載の水槽設備。
【請求項３】
前記往き管路および前記戻り管路は、仕切壁を介して隣接した状態で並列に配置され、
前記仕切壁に貫通部が形成されるとともに、その貫通部によって前記連通路が構成されている請求項１または２に記載の水槽設備。
【請求項４】
トレイ型の管路部材を備え、
前記管路部材の内部が前記仕切壁によって仕切られて、往き管路用溝部および戻り管路用溝部が形成され、
前記基台の上板に、前記メイン水槽の底面に対応してメイン側吸込口およびメイン側吐出口が設けられるとともに、
前記基台の上板に、前記サブ水槽の底面に対応してサブ側吸込口およびサブ側吐出口が設けられ、
前記往き管路用溝部および前記戻り管路用溝部の各一端部が、前記メイン側吐出口および前記メイン側吸込口に適合し、かつ前記往き管路用溝部および前記戻り管路用溝部の各他端部が、前記サブ側吸込口および前記サブ側吐出口に適合した状態で、前記管路部材の外周壁上端および前記仕切壁上端が前記基台の上板裏面に水密状態に取り付けられることにより、前記往き管路用溝部によって前記往き管路が形成されるとともに、前記戻り管路用溝部によって前記戻り管路が形成されている請求項３に記載の水槽設備。
【発明の詳細な説明】
【技術分野】
【０００１】
この発明は例えば、一般家庭等において観賞魚や水草等の水棲生物を飼育栽培しつつ観賞する際に用いられる水槽設備に関する。
【背景技術】
【０００２】
各家庭等で多く用いられる一般の観賞魚用の水槽は、水槽内に観賞魚等の水棲生物以外に、水の浄化や水温の調整等を行って水質を所定の状態に維持するための濾過装置や冷却／加熱器等の器具類が配置されている。このような器具類は、良好な飼育環境を維持するために必要不可欠な器具であるものの、観賞する者にとっては目障りとなる場合もあり美観を損なうおそれがある。
【０００３】
そこで下記特許文献１，２に示すように観賞用水槽内に水質維持用（飼育環境維持用）の器具類が配置されない水槽設備が開発されている。この水槽設備は、観賞魚が飼育される観賞用水槽としてのメイン水槽と、水質維持用の器具類が配置される器具用水槽としてのサブ水槽と、両水槽間を連結する往き管および戻り管と、循環ポンプとを備え、循環ポンプの駆動によって、サブ水槽内の水を往き管を介してメイン水槽に供給しつつ、メイン水槽内の水を戻り管を介してサブ水槽内に戻すようにしている。このように両水槽間に水を循環させることによって、メイン水槽に器具類を配置せずにメイン水槽内の水質を良好に維持するようにしている。
【先行技術文献】
【特許文献】
【０００４】
【特許文献１】特許第４７４６１４０号
【特許文献２】特許第４７９１６０６号
【発明の概要】
【発明が解決しようとする課題】
【０００５】
ところで、観賞用水槽は、一般家庭等の屋内に設置されることが多いため、水漏れ対策には万全を期す必要があり、上記特許文献１，２に示すような２つの水槽を有する水槽設備においても例外ではない。例えば上記のような水槽設備において、メイン水槽からサブ水槽に水を戻す戻り管がゴミ詰まり等によって塞がれてしまうと、サブ水槽内の水は循環ポンプによって往き管を介してメイン水槽内に通常通り供給されるのに対し、メイン水槽内の水はサブ水槽内に戻されることはない。そうすると、メイン水槽内の水位が異常に上昇して、場合によっては水がメイン水槽をオーバーフローして水漏れが発生することも想定されるという課題があった。
【０００６】
この発明は、上記の課題に鑑みてなされたものであり、戻り管に詰まりが発生したとしても、メイン水槽の異常な水位上昇を避けることができ、水漏れを確実に防止することができる水槽設備を提供することを目的とする。
【課題を解決するための手段】
【０００７】
上記課題を解決するため、本発明は、以下の手段を備えるものである。
【０００８】
［１］基台と、
前記基台上に設けられ、かつ水棲生物を観賞するためのメイン水槽と、
前記基台上に設けられ、かつ水質を維持するための器具類が配置されたサブ水槽と、
前記基台の内部に設けられ、かつ前記メイン水槽および前記サブ水槽間を連通する往き管路および戻り管路と、
前記サブ水槽内の水を前記往き管路を介して前記メイン水槽内に供給するとともに、前記メイン水槽内の水を前記戻り管路を介して前記サブ水槽内に戻すための循環ポンプとを備え、
前記往き管路および前記戻り管路間を連通する連通路が設けられていることを特徴とする水槽設備。
【０００９】
［２］前記連通路は、前記往き管路および前記戻り管路における前記サブ水槽寄りの位置に配置されている前項１に記載の水槽設備。
【００１０】
［３］前記往き管路および前記戻り管路は、仕切壁を介して隣接した状態で並列に配置され、
前記仕切壁に貫通部が形成されるとともに、その貫通部によって前記連通路が構成されている前項１または２に記載の水槽設備。
【００１１】
［４］トレイ型の管路部材を備え、
前記管路部材の内部が前記仕切壁によって仕切られて、往き管路用溝部および戻り管路用溝部が形成され、
前記基台の上板に、前記メイン水槽の底面に対応してメイン側吸込口およびメイン側吐出口が設けられるとともに、
前記基台の上板に、前記サブ水槽の底面に対応してサブ側吸込口およびサブ側吐出口が設けられ、
前記往き管路用溝部および前記戻り管路用溝部の各一端部が、前記メイン側吐出口および前記メイン側吸込口に適合し、かつ前記往き管路用溝部および前記戻り管路用溝部の各他端部が、前記サブ側吸込口および前記サブ側吐出口に適合した状態で、前記管路部材の外周壁上端および前記仕切壁上端が前記基台の上板裏面に水密状態に取り付けられることにより、前記往き管路用溝部によって前記往き管路が形成されるとともに、前記戻り管路用溝部によって前記戻り管路が形成されている前項３に記載の水槽設備。
【発明の効果】
【００１２】
発明［１］の水槽設備によれば、往き管路および戻り管路間が連通路によって連通されているため、戻り管路に詰まりが生じたとしても、往き管路内を流れる水が、連通路を介して戻り管路内に流入してサブ水槽内に戻されるようになる。従って多量の水が際限なくメイン水槽に供給されるのを防止でき、メイン水槽内の水位が異常に上昇するのを防止できるとともに、メイン水槽内の水がオーバーフローして漏出するような不具合を確実に防止することができる。
【００１３】
一般に水槽設備において詰まりは、戻り管路におけるメイン水槽側の吸込口周辺で多く発生するが、発明［２］の水槽設備によれば、連通路をサブ水槽寄りの位置に配置しているため、戻り管路における連通路の位置を目詰まり位置よりも下流側に配置することができる。このため詰まりが生じた時に往き管路から連通路を通った水を、戻り管路内における詰まり位置よりも下流側に流入させることができ、サブ水槽内に確実に戻すことができ、水漏れの発生をより一層確実に防止することができる。
【００１４】
発明［３］の水槽設備によれば、仕切壁に貫通部を形成するだけで簡単に連通路を形成することができる。
【００１５】
発明［４］の水槽設備によれば、トレイ型の管路部材を基台の上板裏面に取り付けるだけで簡単に往き管路および戻り管路を形成することができ、ひいては水槽設備自体を効率良く製造することができる。
【図面の簡単な説明】
【００１６】
【図１】図１はこの発明の実施形態である水槽設備を示す斜視図である。
【図２】図２は実施形態の水槽設備を分解して示す斜視図である。
【図３】図３は実施形態の水槽設備に適用された基台を示す平面図である。
【図４】図４は実施形態の基台を示す下面図である。
【図５】図５は実施形態の基台を下面側から見た分解斜視図である。
【図６】図６は実施形態の水槽設備に適用された管路部材を示す斜視図である。
【図７】図７は実施形態の水槽設備に適用された管路部材を示す平面図である。
【発明を実施するための形態】
【００１７】
図１はこの発明の実施形態である水槽設備を示す斜視図、図２は実施形態の水槽設備を分解して示す斜視図、図３は実施形態の水槽設備の基台を示す平面図である。
【００１８】
これらの図に示すように本実施形態の水槽設備は、基台１と、観賞用水槽としてのメイン水槽２と、器具用水槽としてのサブ水槽３と、両水槽２，３間を連通接続する往き管路（供給管路）４および戻り管路（排出管路）５と、吐出ポンプ１５とを基本的な構成要素として備えている。
【００１９】
基台１は硬質合成樹脂の成形品によって構成されている。基台１の上壁によって構成される上板１１には、メイン水槽２およびサブ水槽３に対応する各領域がそれぞれ凹陥形成されることにより、基台１の上面にメイン水槽側凹陥部２１およびサブ水槽側凹陥部３１がそれぞれ形成されている。両凹陥部２１，３１は平面視においてそれぞれ矩形状に形成されている。
【００２０】
後に説明するようにメイン水槽側凹陥部２１の底面２２は、メイン水槽２の底面２２を構成するものであり、サブ水槽側凹陥部３１の底面３２は、サブ水槽３の底面３２を構成するものである。
【００２１】
メイン水槽側凹陥部２１には平面視において、それぞれ長円形状のメイン側吸込口２ａおよびメイン側吐出口２ｂが形成されている。メイン側吸込口２ａは後述の戻り管路５の吸込口として機能するとともに、メイン側吐出口２ｂは後述の往き管路４の吐出口として機能する。
【００２２】
メイン側吐出口２ｂには、その吐出口２ｂの形状に対応する形状を有し、かつ吐出口２ｂを水密状態に閉塞するための吐出口閉塞蓋４１が着脱自在（開閉自在）に取り付けられている。この吐出口閉塞蓋４１には、水の流通を許容する円形の流出孔４２が形成されている。
【００２３】
またメイン側吸込口２ａには、その吸込口２ａの形状に対応する形状を有し、かつ吸込口２ａを水密状態に閉塞するための吸込口閉塞蓋５１が着脱自在（開閉自在）に取り付けられている。この吸込口閉塞蓋５１には、水の流通を許容する円形の流入孔５２が形成されている。
【００２４】
基台１におけるサブ水槽側凹陥部３１には、円形のサブ側吸込口３ａおよびサブ側吐出口３ｂが形成されている。このサブ側吸込口３ａは往き管路４の吸込口として機能するとともに、サブ側吐出口３ｂは戻り管路５の吐出口として機能する。
【００２５】
図４は水槽設備の基台１を示す下面図（裏面図）、図５は基台１を裏面側から見た分解斜視図である。両図に示すように基台１の裏面には、メイン側吸込口２ａおよびメイン側吐出口２ｂからサブ側吸込口３ａおよびサブ側吐出口３ｂにかけての領域に管路部材６が設けられている。
【００２６】
図６および図７は管路部材６を示す図である。図５〜図７に示すように管路部材６は、硬質合成樹脂の成形品によって構成されている。この管路部材６は、平面視が長方形状（矩形状）に形成され、かつ上端が開口された浅底のボックス形状、換言すると平面視長方形状の底壁の周縁部に沿って外周壁が立設されたトレイ型に形成されている。なお以下の説明においては、管路部材６の長さ方向（図４の紙面に向かって上下方向）を「長さ方向」または「前後方向」とし、左右方向（図４の紙面に向かって左右方向）を「幅方向」または「左右方向」として説明する。
【００２７】
この管路部材６は、その内部に前後方向に沿って連続状に伸び、かつ幅方向の略中間位置に配置される仕切壁６０が管路部材６に一体に形成されている。この仕切壁６０によって管路部材６の内部が左右に仕切られて、前後方向にそれぞれ伸びる往き管路用溝部４０および戻り管路用溝部５０が左右に略並列に配置されるように形成されている。
【００２８】
ここで本実施形態においては、管路部材６の仕切壁６０の一部が切り欠かれることによって、スリット状の貫通部６１が形成されている。この貫通部６１は、後述するように管路部材６を基台１に組み付けた状態において、サブ側吸込口３ａおよびサブ側吐出口３ｂの近傍（サブ水槽寄りの位置）に形成されており、本実施形態において連通路を構成するものである。
【００２９】
管路部材６の周壁上端面および仕切壁６０の上端面には、周壁および仕切壁６０に沿って取付溝６２が形成されている。さらに管路部材６の外周縁部には、その外周縁部に沿って適宜間隔をおいて複数のねじ留め片６３が外方に突出するように一体に形成されている。
【００３０】
一方、基台１の裏面側（下面側）には、管路部材６を設置する領域にリブ１２が、裏面側（下方）に突出するように一体に形成されている。このリブ１２は、管路部材６の外周壁の取付溝６２と、仕切壁６０の取付溝６２とにそれぞれ対応して形成されており、その取付溝６２内に適合状態に嵌め込むことができるようになっている。また基台１の裏面側におけるリブ１２の外側には、管路部材６の上記ねじ留め片６３にそれぞれ対応して複数のねじ留め部１３が一体に形成されている。
【００３１】
本実施形態においては、管路部材６の取付溝６２にペースト状ないし糊状のシリコン系シーリング材（図示省略）を塗布して充填し、その管路部材６の取付溝６２内に基台１のリブ１２を嵌め込むように配置する。さらに管路部材６を基台１側に押し付けた状態でビス（図示省略）を管路部材６のねじ留め片６３に貫通して基台１のねじ留め部１３にねじ留めすることによって、管路部材６を基台１に固定する。この固定状態においては、シーリング材が管路部材６の周壁および仕切壁６０と、基台１の上板１１（リブ１２）との間に充填配置されることにより、その間の水密が図られた状態で、管路部材６が基台１に密着固定されている。
【００３２】
ここで本実施形態においては、管路部材６の往き管路用凹部４０が基台１の上板１１に閉塞されることによって往き管路４として構成されるとともに、戻り管路用凹部５０が基台１の上板１１に閉塞されることによって戻り管路５として構成される。さらに往き管路４および戻り管路５は仕切壁６０によって仕切られて互いに独立した管路として構成されている。さらに往き管路４および戻り管路５間は、仕切壁６０に設けられた上記貫通部（連通路）６１によって連通されており、後述するようにこの貫通部６１を介して往き管路４から戻り管路５に水が流入されるようになっている。なお本実施形態においては、管路部材６の貫通部６１に対応して、基台１のリブ１２に切欠状（スリット状）の貫通部１７が形成されており、実質的にはこの貫通部１７と上記管路部材６の貫通部６１とで連通路が形成されているが、本発明においては基板１側の貫通部１７は必ずしも形成しなくても良い。
【００３３】
また管路部材６における往き管路用溝部４０の一端部が基台１におけるメイン水槽底面２２のメイン側吐出口２ｂに対応して配置され、かつ戻り管路用溝部５０の一端部が基台１におけるメイン水槽底面２２のメイン側吸込口２ａに対応して配置されている。従って既述した通りメイン側吐出口２ｂが往き管路４の吐出口として機能するとともに、メイン側吸込口２ａが戻り管路５の吸込口として機能する。
【００３４】
さらに管路部材６における往き管路用溝部４０の他端部が基台１におけるサブ水槽底面３２のサブ側吸込口３ａに対応して配置され、戻り管路用溝部５０の他端部が基台１におけるサブ水槽底面３２のサブ側吐出口３ｂに対応して配置されている。従って既述した通りサブ側吸込口３ａが往き管路４の吸込口として機能するとともに、サブ側吐出口３ｂが戻り管路５の吐出口として機能する。
【００３５】
図１および図２に示すように基台１におけるメイン水槽側凹陥部２１にはメイン水槽本体２０が取り付けられる。メイン水槽本体２０は、下端が開放されたボックス型の形状を有し、周囲４側壁と蓋板とを備えている。このメイン水槽本体２０は、透明なガラス板ないし合成樹脂板によって構成されており、下端平面形状がメイン水槽側凹陥部２１の平面形状に対応する形状を有している。このメイン水槽本体２０の下端部がメイン水槽側凹陥部２１に嵌め込まれた状態で固定されている。なおメイン水槽本体２０の下端部とメイン水槽側凹陥部２１の周縁部との間にペースト状ないし糊状のシリコン系シーリング材（図示省略）が充填塗布されることにより、メイン水槽本体２０が基台１に水密状態に固定されている。ここで本実施形態においてはメイン水槽本体２０と、メイン水槽側凹陥部２１の底面２２とによって観賞用水槽としてのメイン水槽２が形成されている。
【００３６】
また基台１におけるサブ水槽側凹陥部３１にはサブ水槽本体３０が取り付けられる。サブ水槽本体３０は、下端が開放されたボックス型の形状を有し、周囲４側壁と蓋板とを備えている。このサブ水槽本体３０は、透明なガラス板ないし合成樹脂板によって構成されており、下端平面形状がサブ水槽側凹陥部３１の平面形状に対応する形状を有している。このサブ水槽本体３０の下端部がサブ水槽側凹陥部３１に嵌め込まれた状態で固定されている。なおサブ水槽本体３０の下端部とサブ水槽側凹陥部３１の周縁部との間にペースト状ないし糊状のシリコン系シーリング材（図示省略）が充填塗布されることにより、サブ水槽本体３０が基台１に水密状態に固定されている。ここで本実施形態においてはサブ水槽本体３０と、サブ水槽側凹陥部３１の底面３２とによって器具用水槽としてのサブ水槽３が形成されている。
【００３７】
図２に示すように、サブ水槽３の底面３２において、サブ側吐出口３ｂにはストレーナパイプ（ストレーナ付きパイプ）３４が着脱自在に取り付けられており、戻り管路５内の水はストレーナパイプ３４を介してサブ水槽３内に吸い込まれるようになっている。さらにサブ水槽３の底面３２には、循環ポンプとしての吐出ポンプ１５が設置されている。この吐出ポンプ１５の吐出口は、サブ水槽底面３２におけるサブ側吸込口３ａに嵌め込まれるように配置されるとともに、吐出ポンプ１５の吸込口はサブ水槽３内に開口するように配置されている。従ってサブ水槽３内の水が吐出ポンプ１５に吸い込まれてサブ側吸込口３ａを介して往き管路４内に吐出されるようになっている。
【００３８】
なお図示は省略するが、サブ水槽３内にはフィルター（濾過装置）の他に、必要に応じて水温計、冷却器、加熱器等の水質を維持するための器具類が配置されている。さらにメイン水槽２の底面２２において、メイン側吸込口２ａおよびメイン側吐出口２ｂには適宜ストレーナパイプや吐出ノズルが取り付けられる。
【００３９】
以上のように構成された本実施形態の水槽設備においては、メイン水槽２およびサブ水槽３が共に大気に開放されるとともに、両水槽２，３が往き管路４および戻り管路５を介して連通接続されている。従ってメイン水槽２およびサブ水槽３に貯留された水は、水位が等しく水面高さが一致するようになっている。
【００４０】
そしてこの水槽設備において、吐出ポンプ１５を駆動すると、サブ水槽３内の水が吐出ポンプ１５によって吸い込まれて往き管路４内に吐出される。往き管路４内に吐出された水は往き管路４を通って、メイン水槽底面２２のメイン側吐出口２ｂに設けられた閉塞蓋４１の流出孔４２を通ってメイン水槽２内に供給される。
【００４１】
こうしてサブ水槽３からメイン水槽２内に水が供給されると、供給量と同量の水がメイン水槽２から戻り管路５を介してサブ水槽３に自動的に戻される。すなわちメイン水槽２内の水は、メイン側吸込口２ａに設けられた閉塞蓋５１の流入孔５２から戻り管路５内に吸い込まれて、その水が戻り管路５を通ってサブ水槽底面３２のサブ側吐出口３ｂからストレーナパイプ３４を介してサブ水槽３内に吸い込まれる。サブ水槽３内に吸い込まれた水は、フィルター等を通って濾過された後、上記と同様に吐出ポンプ１５に吸い込まれて、往き管路４内に吐出される。
【００４２】
このようにメイン水槽２とサブ水槽３との間で水が循環することによって、メイン水槽２内にフィルター等の器具類を配置することなく、メイン水槽２内の水質を良好な状態に維持することができる。よってメイン水槽２内において、良好な飼育環境下で観賞魚等の水棲生物を飼育することができる。さらにメイン水槽２内には、観賞を妨げるようなフィルターや循環ポンプ等が配置されないため、観賞者にとって良好な美観を得ることができる。
【００４３】
ところで、本実施形態の水槽設備において仮に、メイン側吸込口２ａに設けたストレーナ等の目詰まり等によって戻り管路５が塞がれたとしても、メイン水槽２内の水位が異常に上昇するのを防止でき、水漏れが発生するのを確実に防止することができる。すなわち本実施形態の水槽設備においては、往き管路４および戻り管路５間を仕切る仕切壁６０に貫通部６１を形成して両管路４，５間を連通しているため、詰まりによって戻り管路５が塞がれてメイン水槽２内の水がサブ水槽３に戻すことができない状態のまま、サブ水槽３内の水が吐出ポンプ１５によって往き管路４を介してメイン水槽２内に供給された場合には多少、メイン水槽３内の水位が上昇していく。そうすると、往き管路４内の水圧が戻り管路５内の水圧よりも上昇するため、往き管路４内を流れる水が、貫通部６１を介して戻り管路５内に流入して戻り管路５内を通ってサブ水槽３内に戻るようになる。このようにサブ水槽３から往き管路４に供給された水はショートカットして戻り管路５に流入してサブ水槽３に戻るため、多量の水がメイン水槽２に一方的に供給されることがなく、メイン水槽２内の水位が異常に上昇するのが防止される。従って、戻り管路５に詰まりが発生したとしても、メイン水槽２内の水がオーバーフローして漏出するような不具合を確実に防止することができる。
【００４４】
なお詰まり等のない通常の循環時においても、往き管路４内の水が貫通部６１を通って戻り管路５内にショートカットする場合もあるが、通常循環時には往き管路４および戻り管路５内の水圧はほぼ等しくなっているため、ショートカットする水は、往き管路４を通ってメイン水槽２に供給される水と比べて微量となり、悪影響が及ぶことはなく、良好な循環性能を確実に維持することができる。
【００４５】
また本実施形態においては、貫通部６１をサブ水槽３のサブ側吸込口３ａおよびサブ側吐出口３ｂの近傍位置、つまりサブ水槽寄りの位置に配置しているため、詰まりによる水漏れの発生をより一層確実に防止することができる。すなわち戻り管路５の詰まりは多くの場合、戻り管路５のメイン側吸込口２ａ（流入孔５１）に設けたストレーナ（ストレーナパイプ）の目詰まり等が原因で発生し、ほとんどの目詰まりは戻り管路５のメイン側吸込口２ａの周辺で発生する。このため貫通部６１をサブ水槽寄りの位置に配置することによって、戻り管路５における詰まり位置よりも貫通部６１の位置を下流側に配置することができる。このため、詰まりが生じた時に往き管路４から貫通部６１を介して戻り管路５にショートカットさせた水は、戻り管路５内における詰まり位置よりも下流側に流入されるため、サブ水槽３内に確実に戻すことができる。その結果、詰まりによる水漏れの発生をより一層確実に防止することができる。
【００４６】
また本実施形態においては、トレイ型の管路部材６の内部を仕切壁６０によって仕切って往き管路４および戻り管路５を形成するようにしているため、仕切壁６０に切欠部を形成するだけで簡単に貫通部（連通路）６１を形成することができる。
【００４７】
また本実施形態の水槽設備においては、基台１の上板１１の裏面側におけるメイン水槽２側の吐出口２ｂおよび吸込口２ａから、サブ水槽３側の吸込口３ａおよび吐出口３ｂまでの領域を覆うように、トレイ形状の管路部材６を取り付けて往き管路４および戻り管路５を形成するようにしているため、管路部材６を基台１の裏面に取り付けるだけで簡単に往き管路４および戻り管路５を確実に形成することができ、ひいては水槽設備全体を効率良く簡単に製作することができる。
【００４８】
また本実施形態の水槽設備においては、トレイ型の管路部材６の周壁上端および仕切壁上端と基台１の上板裏面との間にシリコン系シーリング材を充填して、その間を密着固定しているため、作業効率良く水密性に優れた往き管路４および戻り管路５を製作することができるとともに、水漏れ等のない高品質の水槽設備を確実に提供することができる。
【００４９】
さらに管路部材６を基台１に取り付けるに際して、管路部材６の周壁上端および仕切壁上端にシーリング材を塗布した後、管路部材６の外周縁部に形成したねじ留め片６３を基台１のねじ留め部１３にねじによってねじ留め固定するようにしているため、シーリング材が硬化する前の状態であっても、管路部材６を基台１に安定した状態に固定することができる。そのためシーリング材が硬化するまで待機する必要がなく、硬化前の状態でそのまま次の製作工程を実施することができる。このようにシーリング材の硬化時間を考慮せずに処理できるため、水槽設備を効率良く短時間で組み立てることができ、生産効率を向上させることができる。また場合によっては、シーリング材が硬化する前の状態であっても製品として出荷することも可能である。
【００５０】
また本実施形態の水槽設備においては、メイン水槽底面２２の吐出口２ｂを吐出口閉塞蓋４１によって閉塞するとともに、その閉塞蓋４１に形成された流出孔４２からメイン水槽２内に水を吐出させるようにしている。このため、実質的に吐出口２ｂとして機能する流出孔４２の開口面積を小さくできるため、流出孔４２からメイン水槽２内に吐出される水の勢いを十分に強く確保することができる。従って流出孔４２から吐出された水は、メイン水槽２内を大きく循環してから戻り管路５の吸込口２ａ（流入孔５２）から吸い込まれるようになり、メイン水槽２内においてショートカットが発生するのを有効に防止することができる。
【００５１】
しかも本実施形態の水槽設備においては、吐出口閉塞蓋４１をメイン水槽底面２２の吐出口２ｂに着脱自在に取り付けているため、吐出口閉塞蓋４１を取り外すことによって、吐出口２ｂの全域を開放できて往き管路４の吐出口部分を大きく開放することができる。このため、吐出口閉塞蓋４１を取り外すことによって、往き管路４の吐出口周辺を難なく清掃することができ、その吐出口周辺の保守点検を無理なく確実に行うことができる。
【００５２】
さらに本実施形態の水槽設備においては、メイン水槽底面２２のメイン側吸込口２ａを、流入孔付きの吸込口閉塞蓋５１によって閉塞しているため、実質的にメイン側吸込口２ａとして機能する流入孔５２の開口面積を小さくすることができ、流入孔５２（メイン側吸込口２ａ）が際立って目立つような不具合を防止でき、美観を一層向上させることができる。また吸込口閉塞蓋５１を取り外すことによって、メイン側吸込口２ａの全域を大きく開放できるため上記と同様に、戻り管路５の吸込口周辺を難なく清掃することができ、その吸込口周辺の保守点検を無理なく確実に行うことができる。
【００５３】
もっとも本発明においては、戻り管路５の吸込口２ａに必ずしも閉塞蓋５１を取り付ける必要はなく、比較的大きい吸込口２ａをメイン水槽底面２２にそのまま残存配置するようにしても良く、その比較的大きいメイン側吸込口２ａを閉塞するように板状等のストレーナ部材を直接取り付けるようにしても良い。
【００５４】
なお上記実施形態においては、水平断面が矩形状のメイン水槽２およびサブ水槽３を形成する場合を例に挙げて説明したが、それだけに限られず、本発明においては、メイン水槽２およびサブ水槽３の形状は特に限定されるものではない。例えばメイン水槽２およびサブ水槽３の水平断面形状を円形状、楕円形状、長円形状、上記実施例以外の多角形状の他、異形断面形状に形成するようにしても良い。
【００５５】
さらに上記実施形態においてメイン水槽２およびサブ水槽３は、高さ位置にかかわらず水平断面形状が変化しないような筒状に形成されているが、本発明はそれだけに限られるものではない。例えば本発明においては、メイン水槽およびサブ水槽として、円錐形状、円錐台形状、角錐形状、角錐台形状、鼓型形状、樽型形状等、高さ位置によって水平断面形状や大きさが変化するようなものを用いるようにしても良い。
【００５６】
またメイン水槽２とサブ水槽３を互いに同じような形状に形成する必要もなく、例えば一方の水槽を円形断面とし、他方の水槽を矩形断面に形成するようにしても良い。
【００５７】
また上記実施形態においては、メイン水槽２の前後左右の４つの周壁を全て透明に形成する場合を例に挙げて説明したが、それだけに限られず、本発明においては、メイン水槽２の少なくとも一部の領域例えば、一側壁のみが透明に形成されていれば良い。
【００５８】
さらに本発明においてサブ水槽３は必ずしも不透明に形成する必要はなく、少なくとも一部を透明に形成するようにしても良い。
【００５９】
また上記実施形態においては、往き管路４および戻り管路５間の仕切壁６０に貫通部６１を１つ形成する場合を例に挙げて説明したが、本発明においては貫通部（連通路）の数は限定されるものではなく、連通路を複数形成するようにしても良い。
【００６０】
さらに上記実施形態においては、往き管路４および戻り管路５を隣接させて形成するようにしているが、それだけに限られず、本発明においては、往き管路４および戻り管路５を離間させてそれぞれ個別に形成するようにしても良い。このように往き管路および戻り管路を離間させて形成するような場合には、両管路を連結する連結管等の管材によって連通路を形成するようにしても良い。
【産業上の利用可能性】
【００６１】
この発明の水槽設備は、一般家庭等において観賞魚や水草等の水棲生物を飼育栽培しつつ観賞する際に好適に用いることができる。
【符号の説明】
【００６２】
１：基台
１１：上板
１５：吐出ポンプ（循環ポンプ）
２：メイン水槽
２ａ：メイン側吸込口
２ｂ：メイン側吐出口
２２：底面
３：サブ水槽
３ａ：サブ側吸込口
３ｂ：サブ側吐出口
３２：底面
４：往き管路
５：戻り管路
６：管路部材
６０：仕切壁
６１：貫通部（連通路）
【図１】
2019041709.tif 000003
【図２】
2019041709.tif 000004
【図３】
2019041709.tif 000005
【図４】
2019041709.tif 000006
【図５】
2019041709.tif 000007
【図６】
2019041709.tif 000008
【図７】
2019041709.tif 000009